(57)【特許請求の範囲】
【請求項１】
自動車の下側に位置する凹溝部の開口縁部に沿って設けられたレールと、
このレールに移動自在に設けられ自動車から排出された廃油を回収する廃油受け容器と、
この廃油受け容器に一体に設けられ廃油抜取作業で用いる工具を着脱自在に取付ける工具取付部とを具備し、
工具取付部は、
廃油受け容器より下垂された取付板と、
この取付板より廃油受け容器の下側に突設され工具を係止する工具係止フックとを備えた
ことを特徴とする廃油受け装置。
【請求項２】
取付板は、下端部に物置板部を備えた
ことを特徴とする請求項１記載の廃油受け装置。
【発明の詳細な説明】
【０００１】
【発明の属する技術分野】
本発明は、自動車から排出された廃油を回収する廃油受け装置に関する。
【０００２】
【従来の技術】
図２に従来の廃油受け装置を示す。この廃油受け装置は、自動車の下側に位置する凹溝部１の開口縁部に沿って一対のレール２が設けられ、これらのレール２に廃油受け容器３が転輪４により移動自在に設けられ、自動車におけるエンジンオイル、油圧機器用オイルなどのオイル排出口の下側にこの廃油受け容器３を移動させて、オイル排出口より排出された廃油を、この廃油受け容器３に回収するようにしている。
【０００３】
自動車の各オイル排出口は盲栓により閉じられており、廃油抜取作業では、この盲栓をオイル回収時に、スパナなどの工具を用いて取外す必要がある。
【０００４】
【発明が解決しようとする課題】
前記廃油抜取作業で用いる工具は、作業者が個々に持運び、管理しているが、オイル排出口によって、また車種（例えば外車と国産車）によって、異なるサイズの盲栓が使用されているので、各盲栓に対応できる異なるサイズの工具を複数用意する必要がある。このため、レール２に沿って工具が散乱しやすい問題がある。
【０００５】
本発明は、このような点に鑑みなされたもので、廃油抜取作業で用いる工具の散乱を防止できる廃油受け装置を提供することを目的とするものである。
【０００６】
【課題を解決するための手段】
請求項１に記載された発明は、自動車の下側に位置する凹溝部の開口縁部に沿って設けられたレールと、このレールに移動自在に設けられ自動車から排出された廃油を回収する廃油受け容器と、この廃油受け容器に一体に設けられ廃油抜取作業で用いる工具を着脱自在に取付ける工具取付部とを具備し、工具取付部は、廃油受け容器より下垂された取付板と、この取付板より廃油受け容器の下側に突設され工具を係止する工具係止フックとを備えた廃油受け装置である。
【０００７】
そして、レールに沿って移動する廃油受け容器に工具取付部を設けたから、廃油抜取作業で用いる工具をこの工具取付部に取付けて、廃油受け容器とともに移動させ、廃油受け容器の使用箇所で工具取付部から必要な工具を取外して使用し、使用後は工具取付部に戻しておくことで、工具の散乱を防止する。特に、廃油受け容器より下垂された取付板より廃油受け容器の下側に工具係止フックを突設したので、廃油受け容器の下側の空スペースを有効利用して工具を係止する。
【０００８】
請求項２に記載された発明は、請求項１記載の廃油受け装置における取付板が、下端部に物置板部を備えた廃油受け装置である。
【０００９】
そして、廃油抜取時に用いる関連部品などを物置板部に置いて廃油受け容器とともに移動させ、必要に応じてその関連部品を用いる。
【００１０】
【発明の実施の形態】
以下、本発明の一実施の形態を図１を参照しながら説明する。
【００１１】
自動車の下側に位置する凹溝部の開口縁部に沿って設けられたレール11に、自動車から排出された廃油を回収する廃油受け容器12が移動自在に設けられ、この廃油受け容器12に、廃油抜取作業で用いる工具13を着脱自在に取付ける工具取付部14が一体に設けられている。
【００１２】
廃油受け容器12は、タンク本体15の下部の４隅部に取付けられた軸受部16に一対の軸17が取付けられ、これらの各軸17の両端部に、前記レール11上に係合されて移動されるフランジ付ローラ18が回転自在に取付けられている。
【００１３】
タンク本体15の上面開口21には、タンク本体15内に異物が混入することを防止するための金網22が設けられている。この金網22は、取手23を有し、この取手23によりタンク本体15の上面開口21に着脱自在である。そして、例えば、自動車側のオイル排出口に螺着された盲栓を外したときに、落下した盲栓をこの金網22で係止する。
【００１４】
さらに、タンク本体15の上面開口21には、上方に観音開き式の一対の蓋体24が開閉自在に軸支されている。これらの蓋体24は、自動車のオイル排出口から落下するオイルを受けてタンク本体15の上面開口21に導くオイル案内板としても機能し、タンク本体15の開口縁部に軸支された第１の廃油受け板部25と、この第１の廃油受け板部25の両側縁部に形成されたコ字形ガイド26に摺動自在に嵌合された第２の廃油受け板部27とにより形成されている。
【００１５】
第１の廃油受け板部25には、開閉用の取手28が一体に取付けられ、また、第２の廃油受け板部27の先端部にはこの廃油受け板部27を引出すための係合部29が一体に取付けられている。
【００１６】
また、前記工具取付部14は、廃油受け容器12のタンク本体15より取付板31が下垂され、この取付板31より、工具13を係止する複数の工具係止フック32が突設されている。さらに、取付板31の下端部には物置板部33が設けられている。
【００１７】
次に、この図１に示された実施の形態の作用を説明する。
【００１８】
廃油受け容器12をレール11に沿って移動し、自動車の底面側に設けられた所定のオイル排出口の下側に廃油受け容器12の上面開口21を対向させる。この廃油受け容器12の一対の蓋体24は、図示されるように開かれ、その第１の廃油受け板部25に対し第２の廃油受け板部27が引出されている。
【００１９】
廃油受け容器12と一体に設けられた工具取付部14の工具係止フック32には、廃油抜取作業で用いられる例えば十字形レンチまたはスパナなどの工具13が係止されており、廃油受け容器12とともに移動する。
【００２０】
廃油受け容器12の使用箇所で工具取付部14から必要な工具13を取外し、この工具13により自動車側のオイル排出口の盲栓を緩め方向に回して外すと、エンジンオイル、トルコンオイル、油圧機器用オイルなどの廃油が落下するので、これらの廃油を蓋体24の廃油受け板部25，27および金網22を経てタンク本体15内に回収する。
【００２１】
タンク本体15内に満たされた廃油は、例えばダイアフラムポンプなどにより地下タンクなどにいったん貯蔵し、廃棄または再生処理する。
【００２２】
この廃油抜取作業で用いた工具13は工具取付部14の工具係止フック32に戻しておくことで、工具13の散乱を防止できる。
【００２３】
同様に、廃油抜取時に用いる関連部品、例えば交換用フィルタなどを物置板部33に置いておくと、これを廃油受け容器12とともに移動して、必要に応じてその関連部品を直ちに用いることができる。
【００２４】
このように、廃油受け容器12の下側の空スペースを有効利用して、工具係止フック32に工具13を係止するとともに、物置板部33に関連部品を載置し、これらを廃油受け容器12とともに搬送できる。
【００２５】
【発明の効果】
請求項１記載の発明によれば、レールに沿って移動する廃油受け容器に工具取付部を設けたから、廃油抜取作業で用いる工具をこの工具取付部に取付けて、廃油受け容器とともに移動させ、廃油受け容器の使用箇所で工具取付部から必要な工具を取外して使用し、使用後は工具取付部に戻しておくことで、工具の散乱を防止できる。特に、廃油受け容器より下垂された取付板より廃油受け容器の下側に工具係止フックを突設したので、廃油受け容器の下側の空スペースを有効利用して工具を係止することができる。
【００２６】
請求項２記載の発明によれば、取付板の下端部の物置板部に廃油抜取時に用いる関連部品などを用意して廃油受け容器とともに移動できるから、必要に応じてその関連部品を直ちに用いることができる。
【図面の簡単な説明】
【図１】  本発明に係る廃油受け装置の一実施の形態を示す斜視図である。
【図２】  従来の廃油受け装置を示す斜視図である。
【符号の説明】
11    レール
12    廃油受け容器
13    工具
14    工具取付部
31    取付板
32    工具係止フック
33    物置板部
【図１】
0003720636.tif 000002
【図２】
0003720636.tif 000003